(57)【要約】      （修正有）【課題】スイング動作の補正や力の制御に寄与するゴルフ練習装置を提供する。【解決手段】ゴルフ練習ボールと、読み取り装置と、無線通信装置とを含む。ゴルフ練習ボールの内部には無線周波数ラベルが設けられており、読み取り装置は、マイクロ処理ユニット、及びマイクロ処理ユニットにそれぞれ電気的に接続された検知ユニット、音声モジュール、無線通信モジュールを含む。無線通信装置及び無線通信モジュールは、ペアリング無線通信接続を有する。無線通信装置は、無線音声情報を受信可能なイヤホンまたはイヤホンを有する眼鏡である。検知ユニットは、練習ボール内に埋め込まれた無線周波数ラベルの識別データを検知し、マイクロ処理ユニットによって処理されコンパイルされた後、無線通信モジュールを介して練習ボールの打球高さ、距離及びゴルフホールから離れる距離等に関する情報をゴルファーに通知する。【選択図】図１
0003203332.tif 000002
【実用新案登録請求の範囲】
【請求項１】
内部にアンテナとチップとを含む無線周波数ラベルが設けられたゴルフ練習ボールと、
マイクロ処理ユニット、及び前記マイクロ処理ユニットにそれぞれ電気的に接続された検知ユニット、音声モジュール、記憶ユニット、無線通信モジュールを含み、前記検知ユニットは、前記練習ボール内に埋め込まれた無線周波数ラベルの識別データを読み取り、前記マイクロ処理ユニットに転送し処理するとともに前記記憶ユニットに記憶する読み取り装置と、
ゴルファーの身に付けけられ、前記無線通信モジュールとペアリング無線通信接続する無線通信装置と、を備え、
前記読み取り装置は、前記ゴルファーによる打球毎の練習ボールの位置及び方向を、前記無線通信モジュールを介して前記無線通信装置に音声情報で転送することで前記ゴルファーに通知することを特徴とするゴルフ練習装置。
【請求項２】
前記無線通信装置は、ゴルファーの耳に掛けられ、無線音声情報を受信可能なイヤホンまたはイヤホンを有する眼鏡であることを特徴とする請求項１に記載のゴルフ練習装置。
【請求項３】
前記練習ボールの内部には全地球測位システムチップがさらに設けられていることを特徴とする請求項１に記載のゴルフ練習装置。
【考案の詳細な説明】
【技術分野】
【０００１】
本考案は、知能型ゴルフ練習装置に関し、特に身につけるイヤホンまたは眼鏡により、ゴルファーに対して打球の高さ、距離、及びゴルフホールから離れる距離等に関する情報を音声で提供するゴルフ練習装置に関するものである。
【背景技術】
【０００２】
ゴルフは、ゴルフクラブを利用してボールをホール内に入れる運動であり、打数が少ない者が勝ちである。この運動は、スイング姿勢及び力に凝っており、又、球場当時の地理、風向き、芝生成長状況等環境要素も打球の表現に影響を及ぼしている。依然としてゴルフを学んでいる初心者にとっては、打球時には考えなければならない要素がたくさんあり、最も基本的なスイング角度及び力の制御に相対的に影響を及ぼしている。従って、ゴルファーに対して打球毎の各関連データを提供可能な補助装置があれば、ゴルフのスイング動作の補正やスイングに影響を与える各要素の改善に役立ち、ゴルフの初心者に大きく寄与する。
【０００３】
従来の技術において、ゴルフ練習ボール内に無線周波数識別システム（ＲＦＩＤ）チップを入れるとともに、カード検知器に合わせてこのゴルフ練習ボール位置を検出する設計がある。ゴルフ練習ボールが打たれて樹林または草叢に入ったときに、検知器によりゴルフ練習ボールの位置と方向を検出することができる。しかしながら、この設計は、紛失ボールの取り戻しにのみ効果があるが、ゴルファーに対して打球の高さ、距離及びゴルフホールから離れた距離等に関する情報を提供することができず、よって、ゴルファーによるゴルフのスイング動作の補正や力の制御に寄与することができない。
【考案の概要】
【０００４】
そこで、本考案は、ゴルファーによるゴルフのスイング動作の補正や力の制御に寄与することができるゴルフ練習装置を提供することを目的とする。
【課題を解決するための手段】
【０００５】
本考案に係るゴルフ練習装置は、ゴルフ練習ボールと、読み取り装置と、無線通信装置とを含む。該ゴルフ練習ボールの内部には無線周波数ラベルが設けられており、該読み取り装置は、マイクロ処理ユニット、及び該マイクロ処理ユニットにそれぞれ電気的に接続された検知ユニット、音声モジュール、記憶ユニット、無線通信モジュール、電源を含む。該検知ユニットは、該練習ボール内に埋め込まれた無線周波数ラベルのデータを読み取り、該マイクロ処理ユニットに転送して処理することができる。処理されたデータは、該記憶ユニットに記憶される。該無線通信装置及び該無線通信モジュールは、ペアリング無線通信接続を有する。該無線通信装置は、無線音声情報を受信可能なイヤホンまたはイヤホンを有する眼鏡である。該読み取り装置は、該ゴルファーによって打球された練習ボールの位置及び方向を、該無線通信モジュールを介して該無線通信装置に音声情報で伝送することで該ゴルファーに通知することができる。
【考案の効果】
【０００６】
本考案に係るゴルフ練習装置によれば、ゴルファーが容易に身に付け、ゴルファーによるゴルフのスイング動作の補正や力の制御に寄与することができ、特に初心者による打球姿勢の調整、力及び方向の制御に寄与することができる。
【図面の簡単な説明】
【０００７】
【図１】本考案に係る一実施例のゴルフ練習装置の模式図である。
【図２】図１のゴルフ練習装置のブロック模式図である。
【図３】図１のゴルフ練習装置の使用模式図である。
【考案を実施するための形態】
【０００８】
図１ないし３に示すように、本考案に係る一実施例のゴルフ練習装置は、練習ボール１０と、読み取り装置３０と、無線通信装置４０とを含む。練習ボール１０の内部には、アンテナ２２と、チップ２４とを含む無線周波数ラベル２０が設けられている。好ましい実施例において、練習ボール１０の内部には、全地球測位システム（ＧＰＳ）チップがさらに設けられている。また、ゴルフホール旗竿１２内には、無線周波数ラベルとＧＰＳチップとが設けられてもよい。
【０００９】
読み取り装置３０は、ゴルファー５０の身に付けることができる。読み取り装置３０は、マイクロ処理ユニット３１、及びマイクロ処理ユニット３１にそれぞれ電気的に接続された検知ユニット３２、音声モジュール３３、記憶ユニット３４、無線通信モジュール３５（例えばブルートゥース（登録商標）モジュール）、電源３６を含む。検知ユニット３２は、無線周波数モジュールまたは全地球測位システム（ＧＰＳ）モジュールであり、練習ボール１０やゴルフホール旗竿１２内に埋め込まれた無線周波数ラベルの識別データ、及びＧＰＳチップの測位データを受信しまたは読み取り、マイクロ処理ユニット３１によって処理された後、練習ボール１０の打球の高さ、距離及びゴルフボールから離れる距離等の情報を記憶ユニット３４に記憶する。
【００１０】
無線通信装置４０及び無線通信モジュール３５は、ペアリング無線通信接続を有する。無線通信装置４０は、ゴルファー５０の耳に掛けられ、無線音声情報を受信可能なイヤホン（例えばブルートゥース（登録商標）イヤホン）またはイヤホンを有する眼鏡であってもよい。
【００１１】
本考案に係るゴルフ練習装置によれば、使用前に、読み取り装置３０は、まず、練習ボール１０及びゴルフホール旗竿１２内にある無線周波数ラベル２０とペアリングする。これにより、読み取り装置３０は、ゴルファー５０と練習ボール１０やゴルフホール旗竿１２との間の距離及び方向を読み取ることができる。使用上、ゴルファーが練習ボール１０を打った後、読み取り装置３０の検知ユニット３２は、無線周波数識別技術により練習ボール１０の運動情報（例えば角度、高さ及びゴルフホールから離れる距離）を読み取り・算出する。マイクロ処理ユニット３１によって判定されコンパイルされた後、音声モジュール３３は、ゴルファーによる次の打球動作、力や方向の調整の参考として、有用なデータを無線通信モジュール３５を介して無線通信装置４０に音声情報で転送することで、ゴルファー５０に対して練習ボール１０に関する高さ、距離及び方向等に関するデータを通知する。
【００１２】
本考案に係るゴルフ練習装置では、実施上、図３に示すように、ゴルファー５０は、読み取り装置３０を身に付けるとともに無線通信装置４０を耳に掛けることができる。打球された度に、ゴルファー５０と練習ボール１０やゴルフホール旗竿１２との間の距離、方向等の空間関係は、随時にモニタされ、音声情報でゴルファーに報告される。従って、ゴルファーが次の打球姿勢、力及び方向を随時に調整することに役立ち、初心者のスイング動作に寄与することができる。また、練習ボール１０内に設けられたＧＰＳチップは、測位として機能するものであり、打球過程において草叢または樹林に落下した練習ボール１０を容易に見つけることができる。
【００１３】
上述したものは、本考案の好ましい実施例に過ぎず、本考案の実施の範囲を限定するためのものではなく、本考案の明細書及び図面内容に基づいてなされた均等な変更および付加は、いずれも本考案の特許請求の範囲内に含まれるものとする。
【００１４】
以上のように、本考案では、内部にアンテナとチップとを含む無線周波数ラベルが設けられたゴルフ練習ボールと、マイクロ処理ユニット、及び前記マイクロ処理ユニットにそれぞれ電気的に接続された検知ユニット、音声モジュール、記憶ユニット、無線通信モジュールを含み、前記検知ユニットは、前記ゴルフ練習ボール内に埋め込まれた無線周波数ラベルの識別データを読み取り、前記マイクロ処理ユニットに転送し処理するとともに前記記憶ユニットに記憶する読み取り装置と、ゴルファーの身に付けけられ、前記無線通信モジュールとペアリング無線通信接続する無線通信装置と、を備え、前記読み取り装置は、前記ゴルファーによる打球毎の練習ボールの位置及び方向を、前記無線通信モジュールを介して前記無線通信装置に音声情報で転送することで前記ゴルファーに通知することを特徴とするゴルフ練習装置とするものである。
【００１５】
また、前記無線通信装置は、ゴルファーの耳に掛けられ、無線音声情報を受信可能なイヤホンまたはイヤホンを有する眼鏡であるものとする。
【００１６】
また、前記練習ボールの内部には全地球測位システムチップがさらに設けられているものとする。
【産業上の利用可能性】
【００１７】
本考案に係るゴルフ練習装置によれば、ゴルファーが容易に身に付け、ゴルファーによるゴルフのスイング動作の補正や力の制御に寄与することができ、特に初心者による打球姿勢の調整、力及び方向の制御に寄与することができる。
【符号の説明】
【００１８】
１０  ゴルフ練習ボール
１２  ゴルフホール旗竿
２０  無線周波数ラベル
２２  アンテナ
２４  チップ
３０  読み取り装置
３１  マイクロ処理ユニット
３２  検知ユニット
３３  音声モジュール
３４  記憶ユニット
３５  無線通信モジュール
３６  電源
４０  無線通信装置
５０  ゴルファー
【図１】
0003203332.tif 000003
【図２】
0003203332.tif 000004
【図３】
0003203332.tif 000005